(57)【要約】【課題】地面８９から窓部の下枠部までの高さが異なる種々の既存の建物に対して容易に増設することができる可搬式スロープユニットを提供すること。【解決手段】可搬式スロープユニット１は、既存住宅８における掃出窓８１の屋外８０２側に設置して、掃出窓８１と屋外８０２との間の出入を可能にするものである。スロープユニット１は、床部２と、床部２を支持する複数の脚部３と、床部２から立設された手摺部４とを有している。床部２は、掃出窓８１の下枠部８１１と略同一高さに略水平な水平床面２１１を形成するための水平床部２１と、水平床面２１１から下方に向けてスロープ床面２２１を傾斜形成するためのスロープ床部２２とを有している。複数の脚部３は、水平床部２１の高さの調整、又はスロープ床部２２の傾斜角度（勾配）の調整を行うための伸縮可能なアジャスタ部３１をそれぞれ有している。【選択図】図１
2005320826.tif 000002
【特許請求の範囲】
【請求項１】
建物における窓又は小縁等の窓部の屋外側に設置して、該窓部と屋外との間の出入を可能にする可搬式スロープユニットであって、
該可搬式スロープユニットは、床部と、該床部を支持する複数の脚部とを有しており、
上記床部は、上記窓部の下枠部と略同一高さに略水平な水平床面を形成するための水平床部と、上記水平床面から下方に向けてスロープ床面を傾斜形成するためのスロープ床部とを有しており、
上記複数の脚部は、上記水平床部の高さの調整、又は上記スロープ床部の傾斜角度の調整を行うための伸縮可能なアジャスタ部をそれぞれ有していることを特徴とする可搬式スロープユニット。
【請求項２】
請求項１において、上記床部には、手摺部が配設されており、該手摺部は、上記床部から立設された複数の支柱と、該複数の支柱に略直交して配設された手摺棒とを有していることを特徴とする可搬式スロープユニット。
【請求項３】
請求項２において、上記各脚部と、上記手摺部における上記各支柱とは、それぞれ同一軸線上に接合されていることを特徴とする可搬式スロープユニット。
【請求項４】
請求項１〜３のいずれか一項において、上記スロープ床部と上記脚部とは、回動ピンを介して接合されており、当該スロープ床部は、当該脚部における上記アジャスタ部の伸縮を行ったときに、上記回動ピンを介して回動することにより、傾斜角度の調整が可能であることを特徴とする可搬式スロープユニット。
【請求項５】
請求項１〜４のいずれか一項において、上記スロープ床部の下方端部には、該スロープ床部から略平行に延長して延長スロープ床面を形成することができる延長スロープ床部が配設されており、該延長スロープ床部は、上記スロープ床部に対して伸縮スライド可能であることを特徴とする可搬式スロープユニット。
【請求項６】
請求項１〜５のいずれか一項において、上記スロープ床部は、上記脚部を取付可能な脚部取付用スロープ床部と、上記水平床部又は上記脚部取付用スロープ床部に接続される接続用スロープ床部とに分割形成されており、
上記可搬式スロープユニットは、上記水平床部及び上記脚部取付用スロープ床部に上記脚部を取り付けた後、上記水平床部と上記脚部取付用スロープ床部との間を上記接続用スロープ床部によって接続して組み立てるよう構成されていることを特徴とする可搬式スロープユニット。
【発明の詳細な説明】
【技術分野】
【０００１】
本発明は、建物における窓部の屋外側に設置して、窓部と屋外との間での出入を可能にする可搬式スロープユニットに関する。
【背景技術】
【０００２】
例えば、介護用住宅等には、介護が必要な老人や障害者が車椅子等で出入りすることができるように、玄関に通じるスロープが形成されており、このようなスロープとしては、例えば、特許文献１に開示されたものがある。
この特許文献１の住宅介護用ユニットハウスにおいては、これに設けられたスライド式の扉の室外側に、被介護者が車椅子等で出入りすることができるスロープを形成している。そして、これにより、被介護者は、車椅子に乗ったままの状態で、屋内と屋外との間を出入りすることができるようになっている。
【０００３】
しかしながら、上記従来のスロープは、住宅を建築する際に、住宅の玄関に通じるように予め設置して設けられたものである。そのため、住宅を建築した後に、スロープを増設するような場合は想定されておらず、簡単な方法で増設することができるスロープの開発が望まれていた。
【０００４】
なお、特許文献２においては、車椅子等が段差を安全に通行できるように、段差の上段と下段との間に架け渡して使用することができる携帯式スロープが開示されている。この携帯式スロープは、折り畳み可能にすることにより、携帯性を向上させている。しかしながら、この携帯式スロープは、住宅用に開発されたものではなく、住宅に増設するスロープとして使用することは想定されていない。
【０００５】
【特許文献１】特開平８−２９６３３４号公報
【特許文献２】特開２００３−２３０５９７号公報
【発明の開示】
【発明が解決しようとする課題】
【０００６】
本発明は、かかる従来の問題点に鑑みてなされたもので、地面から窓部の下枠部までの高さが異なる種々の既存の建物に対して、容易に増設することができる可搬式スロープユニットを提供しようとするものである。
【課題を解決するための手段】
【０００７】
本発明は、建物における窓又は小縁等の窓部の屋外側に設置して、該窓部と屋外との間の出入を可能にする可搬式スロープユニットであって、
該可搬式スロープユニットは、床部と、該床部を支持する複数の脚部とを有しており、
上記床部は、上記窓部の下枠部と略同一高さに略水平な水平床面を形成するための水平床部と、上記水平床面から下方に向けてスロープ床面を傾斜形成するためのスロープ床部とを有しており、
上記複数の脚部は、上記水平床部の高さの調整、又は上記スロープ床部の傾斜角度の調整を行うための伸縮可能なアジャスタ部をそれぞれ有していることを特徴とする可搬式スロープユニットにある（請求項１）。
【０００８】
本発明の可搬式スロープユニット（以下に、単にスロープユニットということがある。）は、既に建築された建物における窓又は小縁等の窓部に対して、後から増設することができるものである。
すなわち、スロープユニットは、上記水平床部とスロープ床部とを備えた床部と、この床部を支持する複数の脚部とを有している。そして、各脚部がアジャスタ部をそれぞれ有していることによって、スロープユニットは、水平床部の水平床面の高さを調整可能であると共に、スロープ床部のスロープ床面の傾斜角度を調整可能である。
【０００９】
そのため、上記スロープユニットを、既設の建物に増設する際には、水平床部を支持する脚部のアジャスタ部を操作して、窓部の下枠部と略同一高さに水平床部の水平床面を配置する。また、スロープ床部を支持する脚部のアジャスタ部を操作することにより、スロープ床部の傾斜角度を調整して、水平床面に繋がる適切な傾斜角度のスロープ床面を形成することができる。
それ故、上記スロープユニットは、地面から窓部の下枠部までの高さが異なる種々の既存の建物に対して、容易に増設することができる。
【発明を実施するための最良の形態】
【００１０】
上述した本発明における好ましい実施の形態につき説明する。
本発明において、上記建物における窓は、窓の下枠部が部屋、廊下又は縁側等の床面と略同一高さに形成された掃出窓であることが好ましい。また、上記建物における小縁とは、建物の廊下又は縁側等の縁に形成され、窓を設けずに屋外に開放された床部のことをいう。
【００１１】
また、上記スロープユニットは、老人、障害者等の体力衰弱者を、段差が多い玄関等の出入口を経由せずに、建物の部屋、廊下又は縁側等に直接出入させるために用いることができる。また、上記スロープユニットは、老人、障害者等の体力衰弱者を車椅子に乗せて通行させるために用いることもできる。
【００１２】
また、上記床部には、手摺部が配設されており、該手摺部は、上記床部から立設された複数の支柱と、該複数の支柱に略直交して配設された手摺棒とを有していることが好ましい（請求項２）。
この場合には、上記スロープユニットを利用する者が上記手摺部を把持することができ、スロープユニットを利用する者の歩行又は車椅子での通行等を容易にすることができる。
【００１３】
また、上記各脚部と、上記手摺部における上記各支柱とは、それぞれ同一軸線上に接合されていることが好ましい（請求項３）。
この場合には、上記スロープユニットへの各支柱の配設が容易になり、手摺部を配設したスロープユニットの構造を簡単にすることができる。また、スロープ床部の傾斜角度を調整する際に、スロープ床部に配設した各支柱が傾いてしまうことを防止することができる。
【００１４】
また、上記スロープ床部と上記脚部とは、回動ピンを介して接合されており、当該スロープ床部は、当該脚部における上記アジャスタ部の伸縮を行ったときに、上記回動ピンを介して回動することにより、傾斜角度の調整が可能であることが好ましい（請求項４）。
この場合には、特に、スロープ床部の傾斜角度の調整をする際に、スロープ床部が回動ピンにより脚部に対して回動することができる。そのため、スロープ床部の傾斜角度の調整を容易に行うことができる。
【００１５】
また、上記スロープ床部の下方先端部には、該スロープ床部から略平行に延長して延長スロープ床面を形成することができる延長スロープ床部が配設されており、該延長スロープ床部は、上記スロープ床部に対して伸縮スライド可能であることが好ましい（請求項５）。
この場合には、上記延長スロープ床部をスロープ床部に対してスライドさせて、スロープ床部の下方先端部から延長形成される長さを調整することにより、スロープ床部を、地面に対して段差なく傾斜して設置することが容易になる。
【００１６】
また、上記スロープ床部は、上記脚部を取付可能な脚部取付用スロープ床部と、上記水平床部又は上記脚部取付用スロープ床部に接続される接続用スロープ床部とに分割形成されており、上記可搬式スロープユニットは、上記水平床部及び上記脚部取付用スロープ床部に上記脚部を取り付けた後、上記水平床部と上記脚部取付用スロープ床部との間を上記接続用スロープ床部によって接続して組み立てるよう構成されていることが好ましい（請求項６）。
【００１７】
この場合には、上記スロープユニットを、容易に組立が可能な組立可搬式のスロープユニットにすることができる。すなわち、このスロープユニットを、既設の建物に増設する際には、まず、水平床部を建物の窓部の屋外側に設置し、水平床部における脚部のアジャスタ部を操作して、水平床部の水平床面を窓部の下枠部の高さにほぼ合わせる。また、脚部取付用スロープ床部を適切な位置に仮設置した後、水平床部と脚部取付用スロープ床部とを接続用スロープ床部によって接続して、スロープユニットを組み立て、建物の窓部の屋外側に設置することができる。
そのため、スロープユニットの可搬性及び組立性を向上させることができる。
【実施例】
【００１８】
以下に、本発明の可搬式スロープユニットにかかる実施例につき図面と共に説明する。
（実施例１）
本例の可搬式スロープユニット１（以下に、単にスロープユニット１という。）は、図１〜図４に示すごとく、既存住宅等の建物８における窓部としての掃出窓８１の屋外８０２側に設置して、この掃出窓８１と屋外８０２との間の出入を可能にするものである。
このスロープユニット１は、床部２と、床部２を支持する複数の脚部３と、床部２から立設された手摺部４とを有している。
【００１９】
図３に示すごとく、上記床部２は、上記掃出窓８１の下枠部８１１と略同一高さに略水平な水平床面２１１を形成するための水平床部２１と、水平床面２１１から下方に向けてスロープ床面２２１を傾斜形成するためのスロープ床部２２とを有している。
また、上記複数の脚部３は、水平床部２１の高さの調整、又はスロープ床部２２の傾斜角度（勾配）の調整を行うための伸縮可能なアジャスタ部３１をそれぞれ有している。
また、上記手摺部４は、床部２から立設された支柱４１と、支柱４１に略直交して配設された手摺棒４２とを有している。
以下に、これを詳説する。
【００２０】
図１〜図４に示すごとく、本例のスロープユニット１は、既に建築された既存住宅８における掃出窓８１を利用して、既存住宅８の室内（屋内）８０１と屋外８０２との間を、老人、障害者等の体力衰弱者（利用者）が出入りできるようにするものであり、種々の既存住宅８に対して、後から増設することができるものである。そして、本例のスロープユニット１は、可搬組立式のスロープユニット１であり、当該スロープユニット１の増設が必要な既存住宅８まで各構成部材を分解した状態で運搬し、既存住宅８の庭等において各構成部材を組み立てることにより、建築の専門業者でなくても、容易に組立ができるよう工夫がなされたものである。
【００２１】
本例のスロープユニット１は、組立前の状態において、水平床部２１、スロープ床部２２、複数の脚部３及び手摺部４等の各構成部材に分解されており、この分解状態でトラック等の運搬車によって運搬が可能である。
水平床部２１及びスロープ床部２２は、フレーム部材とこのフレーム部材の上に配設された天板とを有している。フレーム部材は、アングル（Ｌ型鋼）、チャンネル、Ｃ型鋼等の種々の部材を用いて形成することができ、天板は、縞鋼板等を用いて形成することができる。また、床部２及び脚部３は、軽量化のためにアルミニウムからなる部材を用いて構成することができる。
【００２２】
また、水平床部２１とスロープ床部２２とは、ビス等の固定具によって互いに接合できるよう構成されている。
また、水平床部２１、スロープ床部２２には、スロープユニット１の利用者が通行する方向である通行方向Ｘに略直交する方向の両端部に、通行を案内することができる案内壁２０が立設形成されている。本例の案内壁２０は、各床部２１、２２の天板の両端部から立設形成されている。
【００２３】
また、図２、図３に示すごとく、上記スロープ床部２２には、このスロープ床部２２からさらに下方側に延長してスロープ（延長スロープ床面２３１）を形成することができる延長スロープ床部２３が配設されている。この延長スロープ床部２３は、スロープ床部２２に伸縮スライド可能に配設されており、スロープ床面２２１から延長スロープ床面２３１を延長形成する長さを調整できるよう構成されている。
【００２４】
これにより、スロープ床面２２１の下方端部（傾斜するスロープ床部２２の下方側の端部）から長さを調整して延長スロープ床面２３１を延長形成することができ、スロープ床面２２１の下方端部を、地面８９と略同一の高さまで形成することができ、スロープ床面２２１と地面８９との間での車椅子の通行を一層滑らかにすることができる。
また、特に、図２に示すごとく、地面８９に段差８９１がある場合に、スロープ床面２２１から段差８９１の上方に延長スロープ床面２３１を延長形成することにより、スロープユニット１の利用者の通行を一層容易にすることができる。
【００２５】
また、図４に示すごとく、上記各脚部３のアジャスタ部３１は、回動操作可能な操作本体部材３１１と、操作本体部材３１１の一端に形成された順ネジ部と螺合された第１螺合部材３１２と、操作本体部材３１１の他端に形成された逆ネジ部と螺合された第２螺合部材３１２とを有して構成されている。そして、脚部３を水平床部２１又はスロープ床部２２に取り付け、これらの仮組み状態を形成したときには、この仮組み状態において、各脚部３のアジャスタ部３１における操作本体部材３１１を回動操作することにより、水平床部２１の水平床面２１１の高さ又はスロープ床部２２のスロープ床面２２１の傾斜角度を容易に調整することができる。
【００２６】
図２、図３に示すごとく、本例のスロープユニット１は、既存住宅８における外壁（掃出窓８１）の面方向に向けて配設するものであり、水平床部２１を外壁に対向配置し、水平床部２１から略９０°折り曲げて、外壁の面方向に沿ってスロープ床部２２を形成してなる。
そして、本例の水平床部２１は、既存住宅８における掃出窓８１の屋外８０２側に対向配置される対向配置端部２１５を有しており、対向配置端部２１５に略直交する方向に、スロープ床部２２を接続するための接続端部２１６を有している。また、対向配置端部２１５からは、掃出窓８１の下枠部８１１に架け渡すための架渡床板２１７が横方向に向けて突出形成されている。また、スロープ床部２２は、一方の端部２２５に水平床部２１と接続するための接続端部２２５を有していると共に、他方の端部２２６（一方の端部とは反対側の端部）に、上記延長スロープ床部２３を配設してなる。
【００２７】
また、本例のスロープユニット１は、既存住宅８の室内（屋内）８０１と屋外８０２との間を、老人、障害者等の体力衰弱者が歩行して出入りできるように、各スロープ床部２２Ａ、Ｂにおけるスロープ床面２２１Ａ、Ｂの勾配（傾斜角度）は、約１／５（底辺の長さに対する高さが１／５倍）としている。なお、スロープ床面２２１の勾配は、１／５〜１／１５とすることができる。
また、本例の掃出窓８１には、この掃出窓８１を開閉するためのサッシ（アルミサッシ等）８２が設けられている（図１、図２参照）。
【００２８】
また、図１、図３、図４に示すごとく、上記各脚部３と、上記手摺部４における各支柱４１とは、それぞれ同一軸線上に接合されており、スロープユニット１において複数の脚部３と複数の支柱４１とは、同じ箇所に配設される。
より具体的には、図５に示すごとく、水平床部２１には、水平床部用脚部３Ａと手摺部４における水平床部用支柱４１Ａと接合するための第１接合部材２１２が配設されている。本例の水平床部用脚部３Ａの上端部３０１と水平床部用支柱４１Ａの下端部４０１とには、おねじ部が形成されており、水平床部２１の第１接合部材２１２には、めねじ部が形成されている。そして、水平床部用脚部３Ａと水平床部用支柱４１Ａとは、水平床部２１の第１接合部材２１２におけるめねじ部に対して、それぞれ各おねじ部を螺合することにより、水平床部２１に取り付けられる。
【００２９】
一方、図６、図７に示すごとく、スロープ床部用脚部３Ｂをスロープ床部２２に組み付けた仮組み状態を形成するときには、スロープ床部用脚部３Ｂは回動ピン２２３を介して回動可能な状態でスロープ床部２２に組み付けられる。そして、スロープ床部用脚部３Ｂを組み付けた仮組み状態において、スロープ床部用脚部３Ｂにおけるアジャスタ部３１の伸縮を行ったときには、スロープ床部２２は、回動ピン２２３を介して回動することにより、その傾斜角度の調整が可能である。
【００３０】
すなわち、図６、図７に示すごとく、スロープ床部２２には、スロープ床部用脚部３Ｂと手摺部４におけるスロープ床部用支柱４１Ｂと接合するための第２接合部材２２２が配設されている。この第２接合部材２２２は、スロープ床部用脚部３Ｂの上方端部３０１に固定されており、第２接合部材２２２及びスロープ床部２２には、回動ピン２２３を挿通配置するための回動穴２２４がそれぞれ横方向に向けて貫通形成されている。
【００３１】
また、スロープ床部２２には、スロープ床部用脚部３Ｂの上方端部３０１に固定した第２接合部材２２２を挿通配置可能な挿通配置穴２２５が、上下方向に向けて形成されている。この挿通配置穴２２５は、スロープ床部２２の通行方向Ｘに向けて長い長穴状（通行方向Ｘに向けて長径部を有する楕円状）に形成されている。これにより、スロープ床部２２に取り付けられた脚部３のアジャスタ部３１を調整して、スロープ床部２２の傾斜角度を決定するときには、スロープ床部２２は、長穴状の挿通配置穴２２５を利用して容易に姿勢（傾斜角度）を変更することができる。
【００３２】
図１、図３に示すごとく、本例の手摺部４における手摺棒４２は、各支柱４１の上方端部に取り付ける上方手摺部４２１と、各支柱４１同士を接続する中間手摺部４２２とからなる。
上方手摺部４２１は、水平床部２１及びスロープ床部２２の一方側側部（通行方向Ｘに直交する方向の一方側側部）と、水平床部２１及びスロープ床部２２の他方側側部（通行方向Ｘに直交する方向の他方側側部）とにそれぞれ配設されている。また、中間手摺部４２２は、各支柱４１に対して各上方手摺部４２１を取り付けた後、手摺部４全体の強度を向上させるために、各支柱４１同士を接続可能である。
【００３３】
また、各上方手摺棒４２と、各支柱４１（水平床部用支柱４１Ａ及びスロープ床部用支柱４１Ｂ）の上端部とは、回動ピン４１５を介して接合されている。そして、各スロープ床部用脚部３Ｂにおけるアジャスタ部３１を操作して、スロープ床部２２の傾斜角度を調整したときには、上方手摺部４２１は、スロープ床部２２の傾斜と略同一の傾斜角度で傾斜することができる。そして、スロープ床部２２の傾斜角度を決定した後に。各支柱４１同士を中間手摺部４２２によって接続して、手摺部４の全体の強度を向上させることができる。
なお、手摺部４における各支柱４１及び各手摺棒４２は、パイプ部材を用いて形成することができ、軽量化のためにパイプ部材の材質はアルミニウムとすることができる。
【００３４】
そして、スロープユニット１を、既存住宅８に増設する際には、まず、各構成部材に分解された状態で、既存住宅８の庭等まで運搬する。
そして、図１、図４に示すごとく、水平床部２１に対して水平床部用脚部３Ａを取り付け、この水平床部用脚部３Ａにおけるアジャスタ部３１を操作して、水平床部２１の水平床面２１１を掃出窓８１の下枠部８１１と略同一高さに配置する。このとき、掃出窓８１の下枠部８１１には、水平床部２１における架渡床板２１７を架け渡す。
また、スロープ床部２２に対してスロープ床部用脚部３Ｂを取り付け、このスロープ床部用脚部３Ｂにおけるアジャスタ部３１を操作して、スロープ床部２２の傾斜角度を調整して、水平床面２１１に繋がる適切な傾斜角度のスロープ床面２２１を形成する。
【００３５】
次いで、各脚部３の上方端部に各支柱４１を接合すると共に、各支柱４１の上方端部に上方手摺部４２１を接続し、その後、各支柱４１同士の間を中間手摺部４２２によって接続する。また、スロープ床部２２と各スロープ床部用脚部３Ｂとが動かないように、固定部材等を用いてこれらを固定する。
なお、脚部３における強度を向上させるために、各脚部３同士は、脚部接合部材３２によって接合することができる。
【００３６】
このように、スロープユニット１は、既存住宅８における掃出窓８１を利用して、屋内８０１と屋外８０２との間で利用者の出入りを可能にすることができる。
そのため、既存住宅８において、老人や障害者等の介護が必要になったときには、上記スロープユニット１を設置することにより、既存住宅８であっても上記介護を容易に可能にすることができる。
【００３７】
また、上記各脚部３におけるアジャスタ部３１の操作により、床部２の高さ調整を容易に行うことができる。
それ故、上記スロープユニット１は、地面８９から掃出窓８１の下枠部８１１までの高さが異なる種々の既存住宅８に対して、水平床面２１１の高さ及びスロープ床面２２１の傾斜角度を容易に変更することができ、容易に増設することができる。
【００３８】
（実施例２）
本例のスロープユニット１は、図８〜図１１に示すごとく、上記スロープ床部２２を、脚部３を取付可能な脚部取付用スロープ床部２４と、上記水平床部２１又は脚部取付用スロープ床部２４に接続される接続用スロープ床部２５とに分割形成した例である。
また、本例のスロープユニット１は、水平床部２１及び脚部取付用スロープ床部２４以外にも、脚部３を取付可能な踊場床部２６を有している。この踊場床部２６は、略水平状の踊場床面２６１を形成するよう構成されており、水平床部２１と同様に、上記第１接合部材２１２を介して脚部３Ｃと支柱４１Ｃとを取付可能である。なお、脚部３Ｃ及び支柱４１Ｃは、上記水平床部用脚部３Ａ及び水平床部用支柱４１Ａと同様の構造を有する。
また、本例の水平床部２１の構造は上記実施例１と同様である。
【００３９】
図８に示すごとく、本例のスロープユニット１は、既存住宅８における掃出窓８１の屋外８０２側に水平床部２１を対向配置し、建物８の外壁の面方向に沿って第１スロープ床部２２Ａを傾斜形成した後、この第１スロープ床部２２Ａに踊場床部２６を接続し、この踊場床部２６から第１スロープ床部２２Ａの形成方向に略直交する方向に第２スロープ床部２２Ｂを地面８９に向けて傾斜形成してなるものである。
そして、図９に示すごとく、第１スロープ床部２２Ａは、１つの第１脚部取付用スロープ床部２４Ａとその両端に接続する２つの第１接続用スロープ床部２５Ａとからなり、図１０に示すごとく、第２スロープ床部２２Ｂは、１つの第２脚部取付用スロープ床部２４Ｂとその一端に接続する１つの第２接続用スロープ床部２５Ｂとからなる。
【００４０】
また、本例のスロープユニット１は、既存住宅８の室内（屋内）８０１と屋外８０２との間を、老人、障害者等の体力衰弱者を車椅子に乗せた状態で出入りできるように、各スロープ床部２２Ａ、Ｂにおけるスロープ床面２２１Ａ、Ｂの勾配（傾斜角度）をできるだけ緩やかにしている。すなわち、本例の各スロープ床面２２１Ａ、Ｂの勾配（傾斜角度）は、約１／１５（底辺の長さに対する高さが１／１５倍）としている。
【００４１】
図１１に示すごとく、本例のスロープユニット１の組立を行う際には、まず、水平床部２１、各脚部取付用スロープ床部２４Ａ、Ｂ及び踊場床部２６に上記各脚部３Ａ〜Ｃをそれぞれ取り付け、これらの仮組み状態を形成する。
また、水平床部２１の水平床部用脚部３Ａにおけるアジャスタ部３１を操作して、水平床部２１の水平床面２１１を掃出窓８１の下枠部８１１と略同一高さに配置する。また、踊場床部２６の脚部３Ｃにおけるアジャスタ部３１を操作して、踊場床部２６の踊場床面２６１の地面８９からの高さを調整する。
【００４２】
次いで、図９に示すごとく、水平床部２１と第１脚部取付用スロープ床部２４Ａとを第１接続用スロープ床部２５Ａで接続し、また、第１脚部取付用スロープ床部２４Ａと踊場床部２６とを第１接続用スロープ床部２５Ａで接続すると共に、第１脚部取付用スロープ床部２４Ａのスロープ床部用脚部３Ｂにおけるアジャスタ部３１を操作して、第１脚部取付用スロープ床部２４Ａの傾斜角度を調整して、水平床面２１１と踊場床面２６１とを繋ぐ適切な傾斜角度のスロープ床面２２１Ａを形成する。
【００４３】
また、図１０に示すごとく、踊場床部２６と第２脚部取付用スロープ床部２４Ｂとを第２接続用スロープ床部２５Ｂで接続すると共に、第２脚部取付用スロープ床部２４Ｂのスロープ床部用脚部３Ｂにおけるアジャスタ部３１を操作して、第２脚部取付用スロープ床部２４Ｂの傾斜角度を調整して、踊場床面２６１と地面８９とを繋ぐ適切な傾斜角度のスロープ床面２２１Ｂを形成する。
【００４４】
このように、本例においては、各スロープ床部２２Ａ、Ｂを各脚部取付用スロープ床部２４Ａ、Ｂと各接続用スロープ床部２５Ａ、Ｂとに分割形成し、水平床部２１、各脚部取付用スロープ床部２４Ａ、Ｂ及び踊場床部２６をそれぞれ接続用スロープ床部２５Ａ、Ｂによって接続することにより、緩やかな勾配のスロープ床面２２１Ａ、Ｂを形成することが容易である。また、各スロープ床部２２Ａ、Ｂを分割形成していることにより、各構成部材の運搬を容易にし、かつスロープユニット１の組立を容易にすることができる。
本例においても、その他は上記実施例１と同様であり、上記実施例１と同様の作用効果を得ることができる。
【図面の簡単な説明】
【００４５】
【図１】実施例１における、可搬式スロープユニットを、図２におけるＡ方向から見た状態で示す説明図。
【図２】実施例１における、可搬式スロープユニットを示す平面図。
【図３】実施例１における、可搬式スロープユニットを、図２におけるＢ方向から見た状態で示す説明図。
【図４】実施例１における、可搬式スロープユニットを示す図で、図２におけるＣ−Ｃ矢視断面図。
【図５】実施例１における、水平床部用脚部と水平床部用支柱との接合構造を示す説明図。
【図６】実施例１における、スロープ床部用脚部とスロープ床部用支柱との接合構造を、回動ピンの軸方向に直交する方向から見た状態で示す説明図。
【図７】実施例１における、スロープ床部用脚部とスロープ床部用支柱との接合構造を、回動ピンの軸方向から見た状態で示す説明図。
【図８】実施例２における、可搬式スロープユニットを示す平面図。
【図９】実施例２における、可搬式スロープユニットを、図８におけるＤ方向から見た状態で示す説明図。
【図１０】実施例２における、可搬式スロープユニットを、図８におけるＥ方向から見た状態で示す説明図。
【図１１】実施例２における、水平床部、各脚部取付用スロープ床部及び踊場床部に各脚部をそれぞれ取り付け、これらの仮組み状態を形成した状態を示す説明図。
【符号の説明】
【００４６】
１  可搬式スロープユニット
２  床部
２１  水平床部
２１１  水平床面
２２  スロープ床部
２２１  スロープ床面
２３  延長スロープ床部
２３１  延長スロープ床面
２４  脚部取付用スロープ床部
２５  接続用スロープ床部
３  脚部
３１  アジャスタ部
４  手摺部
４１  支柱
４２  手摺棒
８  既存住宅（建物）
８０１  屋内
８０２  屋外
８１  掃出窓
８１１  下枠部
８９  地面
【図１】
2005320826.tif 000003
【図２】
2005320826.tif 000004
【図３】
2005320826.tif 000005
【図４】
2005320826.tif 000006
【図５】
2005320826.tif 000007
【図６】
2005320826.tif 000008
【図７】
2005320826.tif 000009
【図８】
2005320826.tif 000010
【図９】
2005320826.tif 000011
【図１０】
2005320826.tif 000012
【図１１】
2005320826.tif 000013